(57)【要約】【課題】簡単な構造と通常の材料によって、薄い電極構造を提供し、治療・美容効果が高く、使い勝手のよい微弱電流器具を提供する。【解決手段】  持ち手部２と、持ち手部２の先端に取り付けられた電極部３と、を有し、電極部３は、互いに電位差を有する正電極部５と負電極部６と、正電極部５と負電極部６とを電気的に接続する導電部４と、正電極部５と負電極部６の間の導電部４を絶縁するように設けた絶縁部７と、を有するように構成した。【選択図】図１
2019126415.tif 000002
【特許請求の範囲】
【請求項１】
持ち手部と、
前記持ち手部の先端に取り付けられた電極部と、を有し、
前記電極部は、
互いに電位差を有し、かつ離間して位置する正電極部と負電極部と、
前記正電極部と前記負電極部とを電気的に接続する導電部と、
前記正電極部と前記負電極部の間の前記導電部が肌面に対して絶縁するように設けた絶縁部と、を有することを特徴とする微弱電流器具。
【請求項２】
請求項１に記載の微弱電流器具であって、
前記絶縁部は、絶縁素材で構成され、前記正電極部を構成する箔と前記負電極部を構成する箔の対向する縁部の各箔の内側の所定位置まで延在していることを特徴とする微弱電流器具。
【請求項３】
請求項１に記載の微弱電流器具であって、
前記絶縁部は、前記正電極部と前記負電極部とが肌面方向に向かって突出していることにより形成される、前記正電極部と前記負電極部との間の空間であることを特徴とする微弱電流器具。
【請求項４】
請求項１〜３のいずれか一項に記載の微弱電流器具であって、
前記正電極部または負電極部を構成する箔は、他方の電極部の下まで延在していることを特徴とする微弱電流器具。
【請求項５】
請求項１〜４のいずれか一項に記載の微弱電流器具であって、
前記正電極部または負電極部は、前記導電部を構成する部材の一部で構成されていることを特徴とする微弱電流器具。
【請求項６】
請求項１〜５のいずれか一項に記載の微弱電流器具であって、
前記正電極部と前記負電極部は、少なくとも２個が正負交互に配置されていることを特徴とする微弱電流器具。
【請求項７】
請求項１〜６のいずれか一項に記載の微弱電流器具であって、
前記電極部は、
電極板部と、
前記導電部と前記正電極部と前記負電極部と前記絶縁部を薄く形成した電極シートとを有し、
前記電極シートを、前記電極板部上に着脱可能に装着したことを特徴とする微弱電流器具。
【請求項８】
請求項７に記載の微弱電流器具であって、
前記電極シートの電極面に保湿シートを有することを特徴とする微弱電流器具。
【請求項９】
請求項７または８に記載の微弱電流器具であって、
前記電極シートの電極面の反対側の面に緩衝材を有することを特徴とする微弱電流器具。
【請求項１０】
請求項１〜９のいずれか一項に記載の微弱電流器具であって、
前記正電極部を構成する箔と前記負電極部を構成する箔は、細長形状を有し、少なくとも２個が正負交互にほぼ平行に配置され、
前記絶縁部は開口部を有し、前記開口部は、前記正電極部を構成する箔と前記負電極部を構成する箔と直交する方向に正電極露出部と負電極露出部が交互に位置するように配列されていることを特徴とする微弱電流器具。
【請求項１１】
持ち手部と、
前記持ち手部の先端に取り付けられた電極部と、
前記持ち手部と前記電極部のいずれかに取り付けられた電源と、
前記電極部に設けられ、前記電源に電気的に接続された正電極部と負電極部と、
前記電源の電圧を昇圧する昇圧器と、
前記電源の電流を制限する電流制限器と、を有することを特徴とする微弱電流器具。
【請求項１２】
請求項１１に記載の微弱電流器具であって、
前記電流制限器の電気抵抗値を変えられるスイッチを有することを特徴とする微弱電流器具。
【請求項１３】
請求項１１または１２に記載の微弱電流器具であって、
前記正電極部を構成する箔と前記負電極部を構成する箔は、細長形状を有し、少なくとも２個が正負交互にほぼ平行に配置され、
前記絶縁部は複数の開口部を有し、前記開口部は、前記正電極部を構成する箔と前記負電極部を構成する箔と直交する方向に列状に配列され、前記開口部を介して正電極露出部と負電極露出部が交互に露出するように配列され、
前記正電極部同士と前記負電極部同士はそれぞれ導線で接続され、前記電源に接続可能に構成されていることを特徴とする微弱電流器具。
【請求項１４】
持ち手部と、
前記持ち手部の先端に取り付けられた電極部と、を有し、
前記電極部は、
回転軸と、
導電部と、
電位差を有する金属部からなり、前記回転軸に離間して回転可能に設けられた円環状の正電極部と負電極部とを有し、
前記正電極部と負電極部の周縁部と前記正電極部と負電極部の間の前記回転軸の少なくとも一部は、前記正電極部と負電極部を電気的に接続している前記導電部になっており、
前記導電部を絶縁する絶縁部が設けられていることを特徴とする微弱電流器具。
【請求項１５】
持ち手部と、
前記持ち手部の先端に取り付けられた電極部と、
前記持ち手部と前記電極部のいずれかに取り付けられた電源と、を有し、
前記電極部は、回転軸と、
前記回転軸に離間して回転可能に設けられた円環状の正電極部と負電極部とを有し、
前記電源と前記正電極部と前記負電極部は電気的に接続され、
前記電源の電流を制限する電流制限器を有することを特徴とする微弱電流器具。
【請求項１６】
持ち手部と、
前記持ち手部の先端に取り付けられた電極部と、を有し、
前記電極部は、導電性の回転軸と、
前記回転軸に電気的に接続し、離間して前記回転軸に回転可能に設けられた円環状の正電極部と負電極部とを有し、
前記正電極部と前記負電極部の間の前記回転軸には、リング状の絶縁部が設けられていることを特徴とする微弱電流器具。
【請求項１７】
請求項１５に記載の微弱電流器具であって、
前記正電極部と前記負電極部は、外周部にほぼ等間隔に凸部を有していることを特徴とする微弱電流器具。
【請求項１８】
持ち手部と、
前記持ち手部の先端に回転可能に取り付けられた概略円柱形の電極部と、を有し、
前記電極部は、
円柱形の外周面の周方向にリング状、または、円柱形の長手方向の帯状の正電極部と負電極部が離間して形成され、
前記正電極部と負電極部の間の前記電極部の外周面は絶縁体からなり、
前記正電極部と負電極部は前記電極部の内部で導電部や電気接続部によって電気的に接続されていることを特徴とする微弱電流器具。
【請求項１９】
持ち手部と、
前記持ち手部の先端に回転可能に取り付けられた概略円柱形の電極部と、を有し、
前記電極部は、
円柱形の外周面の周方向に配列された複数の正電極部からなる正電極部のリング状配列と、前記正電極部のリング状配列と離間して円柱形の外周面の周方向に配列された複数の負電極部からなる負電極部のリング状配列、または円柱形の長手方向の帯配列とを有し、
前記正電極部と前記負電極部の間の前記電極部の外周面は絶縁部からなり、
前記正電極部と前記負電極部は前記電極部の内部で導電部や電気接続部によって電気的に接続されていることを特徴とする微弱電流器具。
【請求項２０】
請求項１９に記載の微弱電流器具であって、
前記正電極部と負電極部は、小径の円柱形を有し、前記電極部に対して前記電極部の円柱形の半径方向に装着され、導電性の電極スプリングを介して前記導電部や前記電気接続部に接し、前記電極スプリングによって前記電極部の円柱形の半径方向外方に付勢されていることを特徴とする微弱電流器具。
【請求項２１】
請求項１９に記載の微弱電流器具であって、
前記正電極部と負電極部は、小径で底面が開放された中空の円柱形を有し、内部にコイルスプリングを格納して前記電極部に対して前記電極部の円柱形の半径方向に装着され、前記コイルスプリングを介して前記導電部や前記電気接続部に接し、前記コイルスプリングによって前記電極部の円柱形の半径方向外方に付勢されていることを特徴とする微弱電流器具。
【請求項２２】
持ち手部と、
前記持ち手部の先端に回転可能に取り付けられた概略円柱形の電極部と、を有し、
前記電極部は、
円柱形の外周面の周方向に、複数の正電極部と負電極部が交互に配列された正負電極部によるリング状配列、または、円柱形の長手方向に複数の正電極部と負電極部が交互に配列された正負電極部による帯状配列を有し、
隣り合う前記正電極部と前記負電極部は、前記電極部の内部で導電体からなる導電部や電気接続部によって電気的に接続されていることを特徴とする微弱電流器具。
【請求項２３】
持ち手部と、電極部と、を有し、
前記電極部は、前記持ち手部に立設された複数の支柱と、前記支柱の先端部に設けられた概略球形の正電極部または負電極部とを有し、
前記正電極部と前記負電極部は、導電部で電気的に接続されていることを特徴とする微弱電流器具。
【請求項２４】
持ち手部と、
前記持ち手部に立設された少なくとも１つの支柱と、
前記支柱の先端部に設けられた概略球形の電極部を有し、
前記電極部には、正電極部、負電極部が設けられ、
前記正電極部と前記負電極部は、絶縁部により互いに絶縁され、
前記正電極部と前記負電極部は、前記電極部の内部で導電部によって電気的に接続されていることを特徴とする微弱電流器具。
【請求項２５】
請求項２３及び２４に記載の微弱電流器具であって、
前記電極部は、前記支柱に軸着され、回動可能であることを特徴とする微弱電流器具。
【請求項２６】
請求項２３〜２５に記載の微弱電流器具であって、
前記持ち手部は、概略半球形の形状を有し、球面部分に把持突起を有し、平面部分に前記電極部を設けていることを特徴とする微弱電流器具。
【請求項２７】
持ち手部と、
前記持ち手部の長さ方向に延出した電極部と、を有し、
前記電極部は、
回転軸と、
前記回転軸に回転可能に設けられた円筒部と、
前記回転軸と平行な稜状に形成された正電極部と負電極部であって、前記円筒部の周方向に正負交互に設けられた正電極部と負電極部とを有し、
前記正電極部と前記負電極部は電気的に導電部で接続されていることを特徴とする微弱電流器具。
【請求項２８】
持ち手部と、
前記持ち手部の長さ方向に延出したアームと、
前記アームから枝分かれして延出した一対の電極部と、を有し、
前記電極部の一方は、回転軸と、前記回転軸に回転可能に設けられた正電極部とを有し、
前記電極部の他方は、回転軸と、前記回転軸に回転可能に設けられた負電極部とを有し、
前記正電極部と負電極部は導電部で電気的に接続されていることを特徴とする微弱電流器具。
【発明の詳細な説明】
【技術分野】
【０００１】
本発明は、皮膚などに微弱電流を流す微弱電流器具に関する。
【背景技術】
【０００２】
人間の皮膚に微弱な電流を流し、健康を促進する療法が広く行われている。人体に適切な微弱電流を与えることにより、人間の自然治癒力が高まると言われている。そのことに着目した治療法として、マイクロカレントセラピーが挙げられる。マイクロカレントセラピーは、外部から人工的に微弱電流を流すことにより、傷の修復に必要なＡＴＰ（アデノシン三燐酸）酵素の生成や、たんぱく質の合成を促進するものである。マイクロカレントセラピーは特に外傷の治療に効果があると言われている。
【０００３】
また、外傷の治療を目的としたものではないが、人間の皮膚に微弱電流を流すことにより、人体内に本来的に流れているバイオ電流の乱れを整え、人間の細胞組織のイオン配列を整え、これによって病気の予防や治癒に役立てることも広く行われている。このような微弱電流治療器として、種々の微弱電流発生装置が開発され製品化されている。
【０００４】
特許文献１には、標準単極電位より電位が高い金属電極と、前記標準単極電位より電位が低い半導体電極を電気的に接続し、金属電極と半導体電極を人間の皮膚に当てて微弱電流を流す経皮投薬用素子が記載されている。
【０００５】
特許文献２には、弾力性と導電性を有する基板に圧電体を平板状に設け、その基板と圧電体を粘着シートやサポーターで人体表面に固定し、圧電体に圧力をかけて微弱電流を皮膚内に通電する微弱電流施療具が記載されている。
【先行技術文献】
【特許文献】
【０００６】
【特許文献１】特許第２７９７１１８号公報
【特許文献２】特開２００６−３２０７０４号公報
【発明の概要】
【発明が解決しようとする課題】
【０００７】
特許文献１記載の技術は、電極に金属電極と半導体電極とを用いている。半導体電極は限られた材料しか用いることができず、一般的な金属電極に比べれば高価である。また、特許文献１の技術は、金属電極と半導体電極を導線で接続するが、強度を有しつつ薄型化するのは困難であった。また、導線で接続する場合は、電流が微弱な電流であるため、導線の接続部近傍で流れるが、電極の面の全体で微弱電流を流すようにすることができなかった。
【０００８】
特許文献２の技術は、電位差がある電極を用いるのではなく、圧電体を用いている。圧電体は、圧力がかかることにより起電力を生じるため、特許文献２の微弱電流施療具は、圧力をかける必要がある。微弱電流は長時間定常的に流れることにより、人体内の生体電流を整える効果を生じるため、圧力をかけたときだけ電流が流れる構造では十分な治療効果が得られないことがあった。
【０００９】
本発明の目的は、上記の問題を鑑みてなされたものであり、簡単な構造と通常の材料によって、高い治療効果を有する薄い電極構造を提供し、美容効果が得られやすく使い勝手のよい微弱電流器具を提供することにある。
【課題を解決するための手段】
【００１０】
上述した少なくとも１つの課題を解決するために、本発明の微弱電流器具は、例えば、
持ち手部と、前記持ち手部の先端に取り付けられた電極部と、を有し、前記電極部は、互いに電位差を有し、かつ離間して位置する正電極部と負電極部と、前記正電極部と前記負電極部とを電気的に接続する導電部と、前記正電極部と前記負電極部の間の前記導電部が肌面に対して絶縁するように設けた絶縁部と、を有することを特徴とする。
【００１１】
前記絶縁部は、絶縁素材で構成され、前記正電極部を構成する箔と前記負電極部を構成する箔の対向する縁部の各箔の内側の所定位置まで延在しているようにしてもよい。
【００１２】
前記絶縁部は、前記正電極部と前記負電極部とが肌面方向に向かって突出していることにより形成される、前記正電極部と前記負電極部との間の空間であるようにしてもよい。
【００１３】
前記正電極部または負電極部を構成する箔は、他方の電極部の下まで延在しているようにしてもよい。
【００１４】
前記正電極部または負電極部は、前記導電部を構成する部材の一部で構成されているようにしてもよい。
【００１５】
前記正電極部と前記負電極部は、少なくとも２個が正負交互に配置されているようにしてもよい。
【００１６】
前記電極部は、電極板部と、前記導電部と前記正電極部と前記負電極部と前記絶縁部を薄く形成した電極シートとを有し、前記電極シートを、前記電極板部上に着脱可能に装着するようにしてもよい。
【００１７】
前記電極シートの電極面に保湿シートを有するようにしてもよい。
【００１８】
前記電極シートの電極面の反対側の面に緩衝材を有するようにしてもよい。
【００１９】
前記正電極部を構成する箔と前記負電極部を構成する箔は、細長形状を有し、少なくとも２個が正負交互にほぼ平行に配置され、前記絶縁部は開口部を有し、前記開口部は、前記正電極部を構成する箔と前記負電極部を構成する箔と直交する方向に正電極露出部と負電極露出部が交互に位置するように配列されているようにしてもよい。
【００２０】
本発明の他の微弱電流器具は、
持ち手部と、前記持ち手部の先端に取り付けられた電極部と、前記持ち手部と前記電極部のいずれかに取り付けられた電源と、前記電極部に設けられ、前記電源に電気的に接続された正電極部と負電極部と、前記電源の電圧を昇圧する昇圧器と、前記電源の電流を制限する電流制限器と、を有することを特徴とする。
【００２１】
前記電流制限器の電気抵抗値を変えられるスイッチを有するようにしてもよい。
【００２２】
前記正電極部を構成する箔と前記負電極部を構成する箔は、細長形状を有し、少なくとも２個が正負交互にほぼ平行に配置され、前記絶縁部は複数の開口部を有し、前記開口部は、前記正電極を構成する箔と前記負電極部を構成する箔と直交する方向に列状に配列され、前記開口部を介して正電極露出部と負電極露出部が交互に露出するように配列され、前記正電極部同士と前記負電極部同士はそれぞれ導線で接続され、前記電源に接続可能に構成されているようにしてもよい。
【００２３】
本発明の他の微弱電流器具は、
持ち手部と、前記持ち手部の先端に取り付けられた電極部と、を有し、前記電極部は、回転軸と、導電部と、電位差を有する金属部からなり、前記回転軸に離間して回転可能に設けられた円環状の正電極部と負電極部とを有し、前記正電極部と負電極部の周縁部と前記正電極部と負電極部の間の前記回転軸の少なくとも一部は、前記正電極部と負電極部を電気的に接続している前記導電部になっており、前記導電部を絶縁する絶縁部が設けられていることを特徴とする。
【００２４】
本発明の他の微弱電流器具は、
持ち手部と、前記持ち手部の先端に取り付けられた電極部と、前記持ち手部と前記電極部のいずれかに取り付けられた電源と、を有し、前記電極部は、回転軸と、前記回転軸に離間して回転可能に設けられた円環状の正電極部と負電極部とを有し、前記電源と前記正電極部と前記負電極部は電気的に接続され、前記電源の電流を制限する電流制限器を有することを特徴とする。
【００２５】
本発明の他の微弱電流器具は、
持ち手部と、前記持ち手部の先端に取り付けられた電極部と、を有し、前記電極部は、導電性の回転軸と、前記回転軸に電気的に接続し、離間して前記回転軸に回転可能に設けられた円環状の正電極部と負電極部とを有し、前記正電極部と前記負電極部の間の前記回転軸には、リング状の絶縁部が設けられていることを特徴とする。
【００２６】
前記正電極部と前記負電極部は、外周部にほぼ等間隔に凸部を有しているようにしてもよい。
【００２７】
本発明の他の微弱電流器具は、
持ち手部と、前記持ち手部の先端に回転可能に取り付けられた概略円柱形の電極部と、を有し、前記電極部は、円柱形の外周面の周方向に、リング状、または、円柱形の長手方向の横帯状の正電極部と負電極部が離間して形成され、前記正電極部と負電極部の間の前記電極部の外周面は絶縁体からなり、前記正電極部と負電極部は前記電極部の内部で導電部や電気接続部によって電気的に接続されていることを特徴とする。
【００２８】
本発明の他の微弱電流器具は、
持ち手部と、前記持ち手部の先端に回転可能に取り付けられた概略円柱形の電極部と、を有し、前記電極部は、円柱形の外周面の周方向に配列された複数の正電極部からなる正電極部のリング状配列と、前記正電極部のリング状配列と離間して円柱形の外周面の周方向に配列された複数の負電極部からなる負電極部のリング状配列、または、円柱形の長手方向の横帯配列とを有し、前記正電極部と前記負電極部の間の前記電極部の外周面は絶縁部からなり、前記正電極部と前記負電極部は前記電極部の内部で導電部や電気接続部によって電気的に接続されていることを特徴とする。
【００２９】
前記正電極部と負電極部は、小径の円柱形を有し、前記電極部に対して前記電極部の円柱形の半径方向に装着され、導電性の電極スプリングを介して前記導電部や前記電気接続部に接し、前記電極スプリングによって前記電極部の円柱形の半径方向外方に付勢されているようにしてもよい。
【００３０】
前記正電極部と負電極部は、小径で底面が開放された中空の円柱形を有し、内部にコイルスプリングを格納して前記電極部に対して前記電極部の円柱形の半径方向に装着され、前記コイルスプリングを介して前記導電部や前記電気接続部に接し、前記コイルスプリングによって前記電極部の円柱形の半径方向外方に付勢されているようにしてもよい。
【００３１】
本発明の他の微弱電流器具は、
持ち手部と、前記持ち手部の先端に回転可能に取り付けられた概略円柱形の電極部と、を有し、前記電極部は、円柱形の外周面の周方向に、複数の正電極部と負電極部が交互に配列された正負電極部によるリング状配列、または、円柱形の長手方向に複数の正電極部と負電極部が交互に配列された正負電極部による横帯状配列を有し、隣り合う前記正電極部と前記負電極部は、前記電極部の内部で導電体からなる導電部や電気接続部によって電気的に接続されていることを特徴とする。
【００３２】
本発明の他の微弱電流器具は、
持ち手部と、電極部と、を有し、前記電極部は、前記持ち手部に立設された複数の支柱と、前記支柱の先端部に設けられた概略球形の正電極部または負電極部とを有し、前記正電極部と前記負電極部は、導電部で電気的に接続されていることを特徴とする。
【００３３】
本発明の他の微弱電流器具は、
持ち手部と、前記持ち手部に立設された少なくとも１つの支柱と、前記支柱の先端部に設けられた概略球形の電極部を有し、前記電極部には、正電極部、負電極部が設けられ、前記正電極部と前記負電極部は、絶縁部により互いに絶縁され、前記正電極部と前記負電極部は、前記電極部の内部で導電部によって電気的に接続されていることを特徴とする。
【００３４】
前記電極部は、前記支柱に軸着され、回動可能であってもよい。
【００３５】
前記持ち手部は、概略半球形の形状を有し、球面部分に把持突起を有し、平面部分に前記電極部を設けているようにしてもよい。
【００３６】
本発明の他の微弱電流器具は、
持ち手部と、前記持ち手部の長さ方向に延出した電極部と、を有し、前記電極部は、回転軸と、前記回転軸に回転可能に設けられた円筒部と、前記回転軸と平行な稜状に形成された正電極部と負電極部であって、前記円筒部の周方向に正負交互に設けられた正電極部と負電極部とを有し、前記正電極部と前記負電極部は電気的に導電部で接続されていることを特徴とする。
【００３７】
本発明の他の微弱電流器具は、
持ち手部と、前記持ち手部の長さ方向に延出したアームと、前記アームから枝分かれして延出した一対の電極部と、を有し、前記電極部の一方は、回転軸と、前記回転軸に回転可能に設けられた正電極部とを有し、前記電極部の他方は、回転軸と、前記回転軸に回転可能に設けられた負電極部とを有し、前記正電極部と負電極部は導電部で電気的に接続されていることを特徴とする。
【発明の効果】
【００３８】
本発明によれば、より簡単な構造と通常の材料によって、薄い電極構造を提供し、治療・美容効果が高く、使い勝手のよい微弱電流器具を提供することができる。
【図面の簡単な説明】
【００３９】
【図１】本発明の一実施形態による微弱電流器具を示した斜視図である。
【図２】本発明の一実施形態による微弱電流器具の電極の断面図である。
【図３】本発明の一実施形態による微弱電流器具の電極の断面図である。
【図４】本発明の一実施形態による微弱電流器具の電極の断面図である。
【図５】本発明の一実施形態による微弱電流器具の電極部を分解して示した分解図である。
【図６】本発明の一実施形態による電極部を示した正面図である。
【図７】電源を用いる本発明の他の実施形態による微弱電流器具を示した斜視図である。
【図８】電源を用いる本発明の他の実施形態による電極部を示した正面図である。
【図９】本発明の一実施形態による微弱電流器具を示した斜視図である。
【図１０】本発明の一実施形態による微弱電流器具を示した斜視図である。
【図１１】本発明の一実施形態による微弱電流器具を示した斜視図である。
【図１２】本発明の一実施形態による微弱電流器具を示した斜視図である。
【図１３】本発明の一実施形態による微弱電流器具を示した斜視図である。
【図１４】本発明の一実施形態による微弱電流器具の電極部を分解して示した分解図である。
【図１５】本発明の一実施形態による微弱電流器具の電極部の断面図である。
【図１６】本発明の一実施形態による微弱電流器具の電極部の断面図である。
【図１７】本発明の一実施形態による微弱電流器具の電極部の断面図である。
【図１８】本発明の一実施形態による微弱電流器具を示した斜視図である。
【図１９】本発明の一実施形態による微弱電流器具を示した斜視図である。
【図２０】本発明の一実施形態による微弱電流器具を示した斜視図である。
【図２１】本発明の一実施形態による微弱電流器具を示した斜視図である。
【図２２】本発明の一実施形態による電池回路の説明図である。
【図２３】本発明の一実施形態による微弱電流器具を示した斜視図である。
【発明を実施するための形態】
【００４０】
以下に本発明の実施形態の例を、図面を用いて説明する。なお、下記実施形態において共通する構成要素については、前出の符号と同一の符号を付し説明を省略することがある。
【００４１】
図１は、本発明の一実施形態による微弱電流器具１を示している。
【００４２】
図１に示すように、微弱電流器具１は、持ち手部２と、電極部３とを有している。持ち手部２は、片手で握りやすい形状であって、全体としては概略Ｌ字形の形状を有している。電極部３は、持ち手部２の先端部に接合している。電極部３は板状の形状を有し、背面で持ち手部２の先端部に固定され、使用時は前面を肌に押し当てて使用する。電極部３の平面的形状は任意の形状にすることができるが、図１の例では三日月形の形状を有している。三日月形の形状は目の下や頬等に当てるのに好適である。
【００４３】
電極部３は底面（後面）に電極板部１６を有し、その前面に導電部４を有している。導電部４の上には、正電極部５と負電極部６が設けられている。
【００４４】
導電部４は、導電性を有するシート状のものである。導電部４は導電性を有していればよく、アルミ板を含む金属シート、金属膜や金属シートを含む樹脂シート、金属や炭素粉末などを混入した導電体や導電性繊維を混入させた樹脂シート、金属膜や金属シートを設けたゴム等を用いることができる。また、スポンジのような弾力のある素材でも良い。また、導電部４は、剛性のある板材を用い、電極板部１６を兼ねるようなものでも良い。また、導電部４は、板でなくてもよく、網状のシートや格子状のシートを含む概念である。
【００４５】
正電極部５と負電極部６は、電位差を有する金属からなり、導電部４に電気的に接合し、互いに離間して配置されている。正電極部５と負電極部６は、それぞれの極性ごとに少なくとも１個あり、全体として少なくとも２個の正電極部５と負電極部６が正負交互に配置されている。正電極部５と負電極部６は、形態としては薄膜でも薄い金属片でもよい。また、正電極部５と負電極部６は、導電部４に蒸着やスパッタリングやメッキによって導電部４上に形成した金属層でもよい。
【００４６】
また、導電部４は必ずしも平面でなくともよく、凸面を構成し、正電極部５と負電極部６をその曲面に沿って配置することにより、両電極部が肌に触れやすくすることができる。
【００４７】
さらに、両電極部の表面を凸または凹形状としたり、凸状のパターン模様をつけたりすることで肌面に対する刺激の変化を与えることができる。さらに、大きな凸部の表面に小さな凸部を設けることで、肌の凸凹に対する細かな密着を高めることができる。
【００４８】
凸面の高さは毛穴や肌を考慮し０．２ｍｍから５ｍｍとし、好ましくは０．３ｍｍから３ｍｍとする。
【００４９】
また、凸面表面に凸面を設けるときの大きさは毛穴などを考慮し０．２ｍｍから３ｍｍの範囲、好ましくは０．３ｍｍから２ｍｍとする。
【００５０】
正電極部５と負電極部６の間には、絶縁部７が設けられている。絶縁部７は、正電極部５と負電極部６の間の導電部４の露出部を覆っている。絶縁部７は、絶縁体からなり、シート状のものやテープ状のものを用いることができ、塗料のようにして形成した膜や層のようなものでもよい。絶縁部７について、図２を用いてさらに詳しく説明する。
【００５１】
図２は微弱電流器具１の電極部３の横断面を示している。
【００５２】
図２に示すように、電極部３は、底面に電極板部１６を有し、その上に導電部４を有し、さらにその上に正電極部５と負電極部６を設けている。正電極部５と負電極部６は、正負交互に、互いに離間して配置されている。絶縁部７は、正電極部５と負電極部６の間の導電部４の露出部を覆っている。例えば、覆う幅ｄ３，ｄ１は、１ｍｍから１０ｍｍ、好ましくは２ｍｍ〜８ｍｍである。さらに、正電極部５を構成する箔と負電極部６を構成する箔の対向する縁部の各箔の内側の所定位置まで延在している。絶縁部７が正電極部５と負電極部６の縁部に重なることにより、正負電極部５，６と導電部４の間に短絡的な電流が流れることを防止することができる。
【００５３】
重なり部分の幅ｄ４，ｄ２は、例えば、０．５ｍｍ〜１０ｍｍ、好ましくは、１ｍｍ〜５ｍｍである。
【００５４】
正電極部５と負電極部６は、電位差を有しているため、皮膚に当てると、電池回路８を形成する。すなわち、負電極部６から正イオンが電離し、電子が正電極部５に移動し、正電極部５と負電極部６に電位差が生じる。この電位差によって、皮膚に微弱な電流が流れる。この微弱電流は、小さな電流であるため、皮膚の表面の組織を損傷させずに皮膚の真皮層に入り、人間の細胞組織のイオン配列を整え、皮膚に対しては美容効果を有し、ツボに働けば人体の生体活動を活性化し、病気の治癒や予防に効果を有する。
【００５５】
これらは、異種金属接触腐食や局部電池とも呼ばれ、正電極部５はカソード部品とも呼ばれ、例えば金（Ａｕ＋）、原子量１９７．２、標準電極電位は＋１．５０ボルト、負電極部６はアノード部品とも呼ばれ、例えば、アルミニウム（Ａｌ＋＋＋）、原子量２６．９７、標準電極電位は−１．３３７ボルト、亜鉛（Ｚｎ＋＋）、原子量６５．３８、標準電極電位は−０．７６２ボルト、となる。導電部４上に形成しやすく、肌に障害のない金属を適宜選択することが有用である。
【００５６】
また、これらの各電極の表面に小さな凸凹を設けることで、肌との接触を滑らかにしたり、肌との接触を促進したり、均一にする事が出来る。凸凹は、例えばサンドブラスト仕上げの様なものや、筋状や、網状、イボ状などの模様を設けても良い。
【００５７】
正電極部５と負電極部６が完全に絶縁されていることにより、正電極部５と負電極部６と導電部４の間の短絡電流が遮断され、電流の全部が皮膚に流れ、効率的に微弱電流が利用される。正電極部５と負電極部６の電位差によって生じる電流が微弱であるため、効率よく電流が利用されることは重要である。
【００５８】
ここで、上記の電池回路を生成する生体電池について図２２を用いて説明する。
【００５９】
生体電池５５とは生体に接触することにより生体との間で電池回路を形成する構成をいい、導電部５６と、正電極部５７と、負電極部５８と、絶縁部５９，５９’とを有している。
【００６０】
導電部５６とは、導電性材料からなり、正電極部５７と負電極部５８の間を電気的に接続するものである。上述したように、導電部５６は、金属シート、金属膜や金属シートを含む樹脂シート、導電体や導電性繊維を混入させた樹脂シート、金属膜や金属シートを設けたゴム等を用いることができる。正電極部５７とは、生体電池５５の中で正電極として働く部分をいう。正電極部５７は、標準電極電位より高い電位を有する金属、導電体等を用いることができる。負電極部５８とは、標準電極電位より低い電位を有する部分をいう。負電極部５８は、標準電極電位より低い電位を有する金属、導電体等を用いることができる。絶縁部５９，５９’とは、絶縁性を有するものであればよく、例えば図２２（ａ）の絶縁部５９のように絶縁部材からなるものでもよいし、または、図２２（ｂ）の絶縁部５９’のように空間からなるものでもよい。ただし、絶縁部５９，５９’は、正電極部５７と負電極部５８を導電部５６以外は互いに分離するように、正電極部５７と負電極部５８の間を絶縁する。また、絶縁部５９，５９’は、正電極部５７と負電極部５８とそれぞれの近傍の導電部５６との間で短絡的に電流が流れないように、正電極部５７と負電極部５８と導電部５６の間を絶縁する。
【００６１】
図２２（ｂ）は、絶縁部５９’が空間からなる場合を示している。図２２（ｂ）において、正電極部５７と負電極部５８は肌面方向すなわち人体６０の方向に向かって突出しており、これにより、正電極部５７と負電極部５８との間に空間が形成され、この空間が絶縁部５９’になっている。
【００６２】
ここで、正電極部５７は、標準電極電位より高い電位を有する金属、導電体等を用いることができる。負電極部５８とは、標準電極電位より低い電位を有する部分としているが、正電極部５７と負電極部５８間に電位差が発生すれば良いものである。
【００６３】
かかる構成の生体電池５５を生体、たとえば人体６０に接触させると、絶縁部５９，５９’で絶縁されて互いに分離した正電極部５７と負電極部５８が人体６０に接触する。正電極部５７と負電極部５８は、人体６０に接触すると電位差を有しているため、負電極部５８から正イオンが電離し、電子が導電部５６を通って正電極部５７に移動する。すなわち、図２２に示すように、内部電流６１が導電部５６に流れる。電子が正電極部５７に集まるため、正電極部５７が負電極部５８に対して高電位になり、人体６０の内部の正イオン及び負電極部５８から出た正イオンが正電極部５７に流れる。すなわち、図２２に示すように、外部電流６２が人体６０の内部を流れる。外部電流６２は微弱電流であるため、皮膚の表面の組織を損傷させず、人間の細胞組織のイオン配列を整え、皮膚に対しては美容効果を有し、ツボに働けば病気の治癒や予防に効果を有する。
【００６４】
ここで図３に戻り、微弱電流器具の構成について説明する。図３は、図１の微弱電流器具１のうち、電極部３の変形例を示している。
【００６５】
電極部３ａは、電極板部１６の上に導電部４を設け、導電部４の上に負電極部６ａを配置している。負電極部６ａの上にさらに正電極部５ａを設けている。負電極部６ａを構成する箔は好ましくは細長形状を有し、正電極部５ａを構成する箔は負電極部６ａを構成する箔と交差して配置されている。負電極部６ａを構成する箔の縁部と導電部４の接合する部分、および、正電極部５ａを構成する箔の縁部と負電極部６ａを構成する箔の接合する部分は絶縁部７ａによって覆われている（絶縁されている）。
【００６６】
上記電極部の極性は反対でもよい。すなわち、導電部４の上に正電極部５ａを配置し、その上に負電極部６ａを配置してもよい。
【００６７】
正電極部５ａを構成する箔と負電極部６ａを構成する箔の縁部の接合する部分が絶縁されているため、正電極部５ａと負電極部６ａは、肌に接触すると電極部として電位差を生じ、電池回路８を形成することができる。既述したように、電池回路８による微弱電流が生じ、人体に対して種々の効果を奏することができる。
【００６８】
図４は図３の変形例を示している。
【００６９】
本変形例は、導電部４の一部を負電極部６ｂとしたものである。
【００７０】
例えば、導電部４をアルミニウムとして、正電極部に金を使用し、一方導電部４のアルミニウムをそのままを利用して負電極部６ｂとすることができる。導電部４の一部を利用することにより、新たに負電極部６ｂを形成することを不要とすることができる。
【００７１】
また、導電部４の周辺を絶縁部７ｂで覆う事で周辺からの電流の漏れを防ぐ事で、肌への周辺角の圧力での角からの電流の増大を防止している。
【００７２】
また、正電極部５ｂを例えば、銀（Ａｇ＋）原子量１０７．８８、標準電極電位は＋０．７９９ボルトや、銅（Ｃｕ＋＋）原子量６３．５４、標準電極電位＋０．３４５ボルトを電極部として構成することで、正電極部を導電部４で賄うことで新たに正電極部５ｂを形成することを不要とすることもできる。
【００７３】
なお、これらの各部位の金属に適度に他の金属を混ぜ、合金とすることで、正負電極部間の電位差を調整する事が出来る。例えば歯科材料として金パラジウム合金（金１２％、銀４６％、パラジウム２０％、銅２０％、その他）などがある。これらの合金の割合を変える事で電位差を変更しても良い。
【００７４】
図５は、本発明の一実施形態による微弱電流器具の電極部を分解して示している。
【００７５】
図５の電極部は、電極板部１６に対して電極部分ａを付け替え可能にしたものである。電極部分ａは、例えば図３や図４のような導電部と正負の電極部と絶縁部を薄く形成した電極シート９を有している。電極シート９の電極部面（電極部が露出している面）には保湿シート１０が設けられている。保湿シート１０のさらに上面には剥離紙１１が設けられている。
【００７６】
電極シート９の電極面と反対側の面には接着剤層１２を介して緩衝材１３が設けられている。緩衝材１３の下側には接着剤層１４が設けられている。接着剤層１４のさらに下側には剥離紙１５が設けられている。電極部分ａは剥離紙１１，１５を有することにより、取替用の部品として便利に保管・販売等することができる。また、剥離紙１５により、電極板部１６に対して電極部分ａを着脱可能に装着することができる。装着するときは、剥離紙１５を剥がし、接着剤層１４を介して電極板部１６に取り付けることができる。
【００７７】
使用するときは、剥離紙１１を剥がし、保湿シート１０を介して電極シート９を肌に当てるようにする。保湿シート１０は導電性を有し、肌に密着し、電極シート９の微弱電流を肌に伝えることができる。これにより、既述したような効果を奏することができる。
【００７８】
図６は、他の実施形態による電極部の正面を示している。
【００７９】
電極部３ｃは、図示しない導電板の上に細長形状の正電極部５ｃを構成する箔と負電極部６ｃを構成する箔を有している。正電極部５ｃと負電極部６ｃは、極性ごとに少なくとも１個の電極部を有し、全体として少なくとも２個の電極部が、正負交互にほぼ平行に配置されている。
【００８０】
正電極部５ｃと負電極部６ｃの上には絶縁部７ｃが配置され、絶縁部７ｃは開口部１７を有している。開口部１７は、正電極部５ｃを構成する箔および負電極部６ｃを構成する箔と直交する方向に列状に配列され、正電極部５ｃと負電極部６ｃに直交する方向に見て、開口部１７を介して正電極露出部１８と負電極露出部１９が交互に露出するようになっている。
【００８１】
なお、別の方法で、正電極露出部１８と負電極露出部１９を形成してもよい。すなわち、正電極部５ｃと負電極部６ｃの間の部分を細長形状のシート状の絶縁部７ｃでシールし、さらに、正電極部５ｃを構成する箔と負電極部６ｃを構成する箔に直交するように、細長形状のシート状の絶縁部７ｃを貼ることにより、格子状に正電極露出部１８と負電極露出部１９を形成してもよい。
【００８２】
各電極露出部の形状は、ここでは四角としているが、円や楕円、長方形、多角形などでも良い。また、形状は平面でなく球面状などの凸面を形成しても良い。さらには凸面がパターンを示すものでも良い。
【００８３】
図７は電源を用いる本発明の他の実施形態の微弱電流器具を示している。
【００８４】
本実施形態の微弱電流器具１ｄは、持ち手部２ｄと電極部３ｄを有し、持ち手部２ｄに電源部である電池２１とスイッチ２２と昇圧器２３と抵抗または電流制限器２４を備えている。電源は電池以外に家庭用電源を用いてもよい。抵抗または電流制限器２４としては抵抗器、電流制限ダイオードを使用することができる。
【００８５】
電極部３ｄは、格子状に配置された正電極部５ｄと負電極部６ｄを有している。正電極部５ｄと負電極部６ｄは、図示しない回路基板に電気的に接続されている。持ち手部２ｄの電源（電池２１、スイッチ２２、昇圧器２３、抵抗または電流制限器２４等）は導線２５と導線２６を介して電極部３ｄの回路基板の導線に接続されている。なお、回路基板なるものを介さずとも、正電極部５ｄと負電極部６ｄが電源に電気的に接続されていればよい。
【００８６】
本実施形態によれば、電源によって電極部に電圧をかけるため、正電極部と負電極部を隣接させる制限が低く、また、回路基板の電気接続位置を電極部に合わせることができるため、正電極部と負電極部の位置を比較的自由に配置することができる。このため、例えば正電極部と負電極部を千鳥状に配置したり、ランダムに配置したり、目の近傍に使用するために目尻部分に電極部を集中させたり、することができる。
【００８７】
正電極部５ｄと負電極部６ｄは、回路基板の電気接続位置と位置整合させ、シート状（電極シート）に形成することができる。回路基板に対して電極シートを着脱可能にすることにより、電極シートを取り替え可能にすることができる。
【００８８】
電池２１からの電流は、昇圧器２３で電圧を昇圧され、抵抗または電流制限器２４によって、電流値を所定の範囲内に調整される。電圧は最大３０Ｖまでとし、好ましくは３Ｖ〜１０Ｖとする。電流値は好ましくは０．１ｍＡ〜０．３ｍＡとする。電流は定常流でもパルス波でも良い。上述したような範囲に調整された電流と電圧は、皮膚の角質層の組織を損傷させることなく、真皮層等の細胞組織に好ましい電流を流すことができる。
【００８９】
スイッチ２２は、電流のオンオフを切り替える機能のほか、電流の大きさを調整する機能、パルス波か定常流かを切り替える機能を有するようにしてもよい。なお、電流の大きさを調整する機能は、電流制限器２４の抵抗を変えることで実現されるが、スイッチ２２によって電流制限器２４の抵抗を変えられるようにすることができる。
【００９０】
電極部３ｄは、持ち手部２ｄの先端部に嵌着され、Ｒ方向に回転することができる。電極部３ｄは回転止めネジ２０を有し、所望の位置で電極部３ｄの角度を固定することができる。
【００９１】
図８は電源を用いる微弱電流器具の電極部の正面図である。
【００９２】
本実施形態の電極部３ｅは図示しない回路基板を有している。回路基板上には導線２５ｅ，２６ｅと正電極部５ｅと負電極部６ｅが設けられている。正電極部５ｅと負電極部６ｅを構成する箔は、細長形状を有し、それぞれの極性ごとに少なくとも１個を有し、全体として少なくとも２個の電極部が正負交互に、互いにほぼ平行に配置されている。正電極部５ｅと負電極部６ｅは、それぞれ導線２５ｅ，２６ｅで接続され、電源に接続可能に構成されている。
【００９３】
絶縁部７ｅは複数の開口部１７を有し、開口部１７は、正電極部５ｅと負電極部６ｅを構成する箔と直交する方向に列状に配列され、正電極部５ｅと負電極部６ｅと直交する方向に見て、開口部１７を介して正電極露出部１８ｅと負電極露出部１９ｅが交互に露出するように配列されている。
【００９４】
図９は本発明の他の実施形態の微弱電流器具を示している。
【００９５】
微弱電流器具１ｆは、持ち手部２ｆと電極部３ｆを有している。持ち手部２ｆの先端部はＬ字形にほぼ直角に曲がり、その先端に電極部３ｆが取り付けられている。
【００９６】
電極部３ｆは、中心部に回転軸２７を有している。回転軸２７には、円環状の正電極部５ｆと負電極部６ｆが離間して回転可能に設けられている。
【００９７】
正電極部５ｆと負電極部６ｆの周縁部と、正電極部５ｆと負電極部６ｆの間の回転軸２７の少なくとも一部は、導電体からなっており、正電極部５ｆと負電極部６ｆの電気接続部２８，２９，３０を構成している。正電極部５ｆと負電極部６ｆは電気接続部２８，２９，３０により電気的に接続され、正電極部５ｆと負電極部６ｆで人体に触れると人体との間で電池回路を形成することができる。
【００９８】
正電極部５ｆと負電極部６ｆは、円環状で回転軸２７の回りで回転することができるため、ローラーのように転がすことができる。正電極部５ｆと負電極部６ｆの間の凹み部３１は、正電極部５ｆと負電極部６ｆが互いに接触するのを防止するとともに、電極部をローラーのように転がしたときにマッサージ効果をもたらす。
【００９９】
図１０は電源を用いた他の微弱電流器具を示している。
【０１００】
微弱電流器具１ｇは、持ち手部２ｇと電極部３ｇを有している。持ち手部２ｇの先端部はＬ字形にほぼ直角に曲がり、その先端に電極部３ｇが取り付けられている。
【０１０１】
電極部３ｇは、中心部に回転軸２７を有している。回転軸２７には、円環状の正電極部５ｇと負電極部６ｇが絶縁部材３２によって離間され、回転可能に設けられている。
【０１０２】
持ち手部２ｇに電源部である電池２１とスイッチ２２と昇圧器２３と抵抗または電流制限器２４が備えられている。電池２１と正電極部５ｇおよび負電極部６ｇは導線２５，２６によって電気的に接続されている。
【０１０３】
電池２１からの電圧、電流は、昇圧器２３と電流制限器２４によって、最大３０Ｖの電圧、好ましくは２Ｖ〜１０Ｖの電圧と、０．１ｍＡ〜０．３ｍＡの電流に調整され、皮膚の角質層の組織を損傷させることなく、真皮層等の細胞組織に流れることができる。
【０１０４】
また、電圧を調整したり、パルス波としたり、電圧を変化させたり、電圧を掛ける時間を変化させる回路を設けても良い。
【０１０５】
スイッチ２２は、例えば、電流のオンオフ、電流や電圧の大きさの調整と、パルス波か定常流かを切り替えを行うことができる。
【０１０６】
正電極部５ｇと負電極部６ｇは、円環状で回転軸２７の回りで回転することができるため、ローラーのように転がすことができる。正電極部５ｇと負電極部６ｇの間の凹み部３１は、正電極部５ｇと負電極部６ｇの接触を防止し、肌への接触も防止する。また、マッサージ効果を増大させることができる。
【０１０７】
また、ここでは両電極部を金属としているが、金属や炭素粉末などを混入した導電体や導電性繊維を混入させた樹脂シート、やスポンジ状の樹脂やゴム素材などを用いても良い。
以降、同様とする
図１１は本発明の他の実施形態の微弱電流器具を示している。
【０１０８】
微弱電流器具１ｈは、全体として図９の微弱電流器具１ｆと似た構造を有している。すなわち、微弱電流器具１ｈは、持ち手部２ｈと電極部３ｈを有し、持ち手部２ｈの先端部はＬ字形にほぼ直角に曲がり、その先端に電極部３ｈを有している。
【０１０９】
電極部３ｈは、中心部に導電性の金属製の軸３３を有し、正電極部５ｈと負電極部６ｈは軸３３に回転可能に取り付けられている。正電極部５ｈと負電極部６ｈは全体が金属からなるか、周縁部内側の一部が導体からなり、これによって正電極部５ｈと負電極部６ｈは軸３３に電気的に接続され、軸３３を介して互いに電気的に接続されている。また、正電極部５ｈと負電極部６ｈの間の凹み部３１は、正電極部５ｈと負電極部６ｈの接触を防止し、肌への接触も防止する。
【０１１０】
これにより、持ち手部２ｈは、正電極部５ｈと負電極部６ｈの導体部と同じ電位となり、持ち手を介して持ち手と各電極間での電位差が発生する事となる。
【０１１１】
一方で、中心部の軸３３を有し、正電極部５ｈと負電極部６ｈは軸３３に回転可能に取り付け、正電極部５ｈと負電極部６ｈは周縁部内側の一部が導体からなり、これによって正電極部５ｈと負電極部６ｈは軸３３に電気的に接続され、リング状の金属製のカラー部材３２ｈを介して互いに電気的に接続されている。手で握る軸３４が正電極部５ｈと負電極部６ｈを絶縁し接触しないようにする事で、持ち手からの電位差を発生しないようにする事が出来る。
【０１１２】
軸３３の先端部には軸止めが螺着され、正電極部５ｈやカラー部材３２ｈや負電極部６ｈが脱落しないようになっている。
【０１１３】
正電極部５ｈと負電極部６ｈは、外周部にほぼ等間隔に凸部３５，３６を有し、正電極部５ｈと負電極部６ｈが歯車のように外周部に段差を有している。
【０１１４】
正電極部５ｈと負電極部６ｈは、円環状で軸３３の周りで回転することができるため、ローラーのように転がすことができ、正電極部５ｈと負電極部６ｈの間の凹み部３１と、正電極部５ｈと負電極部６ｈの外周部の凸部３５，３６は、電極をローラーのように転がしたときに段差によりマッサージ効果を増大させることができる。
【０１１５】
また、段差により、肌を押す圧力が変化する事で、電極から流れる電流も局部的に発生する事で、電流の変化から刺激を高める事が出来る。
【０１１６】
回転しながら肌上を転がることを考慮し、例えば凸部形状を角形状とし、凹み部が肌に当たらない形状とする事で、肌にパルス状の電流変化を与えることが出来る。
【０１１７】
また、凸部と凹み部が波状のつながりとする事で、凹み部が肌に当たる形状とする事で、略サインカーブを描くような電流変化を与えることが出来る。
【０１１８】
さらに、これらの凸部、凹み部の変化の大きさを変化させる事で、電流の変化を変えることが出来る。
【０１１９】
さらには、凸部の形状を変化させる事で、肌への電流量や電流分布を変化させる事が出来る。例えば凸部形状を半球状や、多面体や多面体円錐形状や、それらの組み合わせとする事で局部的な刺激をさらに高める事が出来る。
【０１２０】
また、ローラーを転がす回転が速ければ電流の変化も早くなる。
【０１２１】
図１２は本発明のさらに他の実施形態の微弱電流器具を示している。
【０１２２】
微弱電流器具１ｉは、持ち手部２ｉと電極部３ｉを有し、持ち手部２ｉは先端部が枝分かれしている。電極部３ｉは概略円柱形を有し、円柱形の両端で持ち手部２ｉの枝分かれした先端に回転可能に取り付けられている。
【０１２３】
電極部３ｉの円柱形の外周面の周方向には、リング状の正電極部５ｉと負電極部６ｉが離間して形成されている。電極部３ｉの正電極部５ｉと負電極部６ｉの間の外周面は絶縁体３７からなっている。
【０１２４】
電極部３ｉの内部には導体からなる導電部または電気接続部３８が設けられており、正電極部５ｉと負電極部６ｉは電極部３ｉの内部で導電部または電気接続部３８によって電気的に接続されている。
【０１２５】
電極部３ｉは両端部で軸支され、回転可能になっているので、持ち手部２ｉを持ってローラーのように皮膚などの上で転がすことができる。正電極部５ｉと負電極部６ｉは電圧差を有し、皮膚などと接触することにより、電池回路を形成し、人体に微弱電流を流すことができる。微弱電流による効果は既述の通りである。
【０１２６】
ここでは、正電極部５ｉと負電極部６ｉはリング状に形成されているが、電極部３ｉの円柱形の外周面に長手方向（横帯状）に設けても良いものである。
【０１２７】
例えば、電極部３ｉを銅や、ニッケル、ステンレスなどの金属製とし、その上に正電極部５ｉとして金メッキ、負電極部６ｉとして酸化亜鉛や銀などをメッキし、その上に絶縁体３７を塗布する事で製作できる。また各電極部を図９の様に凸状のリング状とし、肌面に電極部が当たる構造としても良い。さらに、図１０で示す様に、各電極部に凸部を設けても良い。
【０１２８】
また、例えば、電極部3ｉを銅や銀などを含んだ素材で形成し、その上に例えば、金メッキや金箔を貼るなどにより正電極部を設けて、絶縁部を設け、電極部をそのまま負電極部として使用しても良い。
【０１２９】
さらに、例えば、電極部3ｉを銅や銀や金などを含んだ素材で形成し、その上に例えば酸化亜鉛やアルミニウムなどで負電極部を設けて、絶縁部を設け、電極部を負電極部としてそのまま使用しても良い。
【０１３０】
図１３は本発明の他の実施形態の微弱電流器具を示している。
【０１３１】
微弱電流器具１ｊは、図１２の微弱電流器具１ｉと似たような構造を有している。すなわち、微弱電流器具１ｊは、持ち手部２ｊと電極部３ｊを有し、持ち手部２ｊは先端部が枝分かれしている。電極部３ｊは概略円柱形を有し、円柱形の両端で持ち手部２ｊの枝分かれした先端に回転可能に取り付けられている。
【０１３２】
本実施形態では、正電極部５ｊが複数個あって、電極部３ｊの円柱形の外周面の周方向にリング状に配列されている。同様に、負電極部６ｊも複数個あって、電極部３ｊの円柱形の外周面の周方向にリング状に配列されている。正電極部５ｊと負電極部６ｊ以外の電極部３ｊの外周面は絶縁体３７ｊからなっている。
【０１３３】
電極部３ｊの内部には導体からなる導電部または電気接続部４１が設けられている。導電部または電気接続部４１は、正電極部５ｊ同士を電気的に接続する導電体３９と、負電極部６ｊ同士を電気的に接続する導電体４０と、導電体３９と導電体４０を接続する導電体とからなる。導電部または電気接続部４１によって正電極部５ｊと負電極部６ｊは電気的に接続されている。
【０１３４】
正電極部５ｊと負電極部６ｊが電気的に接続されていることにより、正電極部５ｊと負電極部６ｊを皮膚などに当てると、電池回路が形成され、皮膚などに微弱電流が流れる。
【０１３５】
電極部３ｊは両端部で軸支され、回転可能になっているので、持ち手部２ｊを持ってローラーのように皮膚などの上で転がすことができる。本実施形態は、正電極部５ｊと負電極部６ｊが複数個あって、電極部３ｊをローラーのように転がすと、パルス状の刺激を与えることができる。
【０１３６】
また、絶縁体３７ｊの表面は弾力のある素材でも良い。弾力のある素材とする事で肌に優しくなる。
【０１３７】
図１４と１５は、電極部３ｊを分解して示している。図１４は正電極部５ｊまたは負電極部６ｊを電極部３ｊに装着する前、図１５は正電極部５ｊまたは負電極部６ｊを電極部３ｊに装着した後をそれぞれ示している。
【０１３８】
図１４，１５に示すように、正電極部５ｊと負電極部６ｊは一個一個が小径の円柱形に形成され、電極部３ｊに対して電極部３ｊの円柱形の半径方向に装着されている。符号３７ｊは絶縁体を示している。電極部３ｊには正電極部５ｊと負電極部６ｊを受け入れる孔がリング状に設けられている（図では簡略化のため孔が一つのみ示されている）。孔の底面には電極スプリング４２が設けられており、正電極部５ｊと負電極部６ｊは電極スプリング４２を介して導電部または電気接続部４１の導電体３９，４０と電気的に接続できるようになっている。正電極部５ｊまたは負電極部６ｊを電極部３ｊの孔に装着すると、電極スプリング４２が弾性的に圧縮される。その反作用として、電極スプリング４２は正電極部５ｊまたは負電極部６ｊを、電極部３ｊの円柱形の半径方向外方に付勢する。正電極５ｊ部または負電極部６ｊの電極面４３は、正電極部５ｊと負電極部６ｊが押し込まれたときに、電極部３ｊの外周面と整合する形状に形成されている。これにより、電極部３ｊをローラーのように皮膚などに押し付けた時に、電極部３ｊの外周面がスムーズな円周面になる。
【０１３９】
図１６は正電極部５ｊと負電極部６ｊが異なる外周面を有している変形例を示している。
【０１４０】
この変形例では、正電極部５ｊまたは負電極部６ｊの電極面４４は、図１６に示すように中心部が凸な曲面になっている。正電極部５ｊと負電極部６ｊの電極面４４が凸になっていることにより、電極部３ｊをローラーのように皮膚などに押し付けた時に、電極部３ｊの外周面が凸部を有し、マッサージ効果が増大する。また、電極面４４の中心部が凸になっていることにより、電流が集中しやすくなり、刺激を高めることができる。
【０１４１】
図１７は正電極部と負電極部が異なる構造を有している変形例を示している。
【０１４２】
電極部３ｋは、正電極部５ｋと負電極部６ｋの構造を除いて、図１３〜１６の電極部３ｊと同様の構造を有している。
【０１４３】
正電極部５ｋと負電極部６ｋは、底面が開放された中空の円柱形に形成されている。正電極部５ｋと負電極部６ｋは、内部にコイルスプリング４６を格納し、電極部３ｋに対して電極部３ｋの円柱形の半径方向に装着されている。正電極部５ｋと負電極部６ｋは、コイルスプリング４６を介して導電部または電気接続部４１の導電体３９，４０と電気的に接続されている。正電極部５ｋと負電極部６ｋの電極面４５は、中心部が凸な曲面になっている。正電極部５ｋと負電極部６ｋは、コイルスプリング４６によって電極部３ｋの円柱形の半径方向外方に付勢されている。
【０１４４】
電極部３ｋをローラーのように皮膚などに押し付けた時に、電極部３ｋの外周面が凸部を有し、マッサージ効果が増大し、電流が集中して刺激を高めることができる。
【０１４５】
ここではあえて電極部が飛び出さない仕組みは示してないが、例えば、座面側の電極の形状を少し大きくして、電極面より飛び出さない様にするなど、あるいはコイルスプリングを電極に接合するなどで対処してもよい。
【０１４６】
図１８は他の実施形態による微弱電流器具を示している。
【０１４７】
微弱電流器具１ｍは、図１３の微弱電流器具１ｊと似たような構造を有している。すなわち、微弱電流器具１ｍは、持ち手部２ｍと電極部３ｍを有し、持ち手部２ｍは先端部が枝分かれしている。電極部３ｍは概略円柱形を有し、円柱形の両端で持ち手部２ｍの枝分かれした先端に回転可能に取り付けられている。
【０１４８】
この実施形態では、正電極部５ｍと負電極部６ｍはそれぞれ複数個あって、電極部３ｍの円柱形の外周面の周方向に、正電極部５ｍと負電極部６ｍが交互に配列された電極のリング状配列を有している。このような電極のリング状配列は、一つに限られず、複数個設けられていてもよい。正電極部５ｍと負電極部６ｍ以外の電極部３ｍの外周面は絶縁体３７ｍからなっている。リング状に配列された電極部のそれぞれにおいて、隣り合う正電極部５ｍと負電極部６ｍは、電極部３ｍの内部で導電体からなる導電部または電気接続部４７によって電気的に接続されている。
【０１４９】
電極部３ｍは両端部で回転可能に軸支されているので、持ち手部２ｍを持ってローラーのように皮膚などの上で転がすことができる。本実施形態によれば、微弱電流が隣り合う近い距離の正電極部５ｍと負電極部６ｍ間で確実に流れ、かつ、パルス状の刺激を与えることができる。
【０１５０】
図１９は、本発明の他の実施形態による微弱電流器具を示している。
【０１５１】
微弱電流器具１ｎは持ち手部２ｎと電極部３ｎを有している。持ち手部２ｎは、形状を限定することなく、例えば半球形のような湾曲面の上面２ｎ’と、平面の下面２ｎ’’とを有している。上面２ｎ’には把持突起４８が設けられ、図に示すように、使用時に手４９と係合し、微弱電流器具１ｎの落下を防止することができるようになっている。
【０１５２】
電極部３ｎは、持ち手部２ｎの下面２ｎ’’に立設された複数の支柱５０と、各支柱５０の先端部に設けられた概略球形の正電極部５ｎまたは負電極部６ｎとを有している。支柱５０は、柔軟性を有するようしてもよい。正電極部５ｎと負電極部６ｎは表面に複数の凹部やパターン形状、または例えば球状の凸部を有しているようにしてもよい。
【０１５３】
正電極部５ｎと負電極部６ｎは、異なる極性が隣り合うように設けられ、支柱５０と持ち手部２ｎの内部に設けられた図示しない導電部によって電気的に接続されている。
【０１５４】
使用するときは、図に示すように、手４９で持ち手部２ｎを持ち、正電極部５ｎと負電極部６ｎを皮膚などに押し当てるようにする。正電極部５ｎと負電極部６ｎが皮膚などに接触することにより、正電極部５ｎと負電極部６ｎの電位差によって電池回路が形成され、皮膚などに微弱電流が流れる。
また、ここでは示してないが図１０の様に電池等の外部電源を用いても良い。
【０１５５】
また、持ち手部２ｎを把持しながら、小さく円運動などをすることにより、さらにマッサージ効果をもたらすことができる。
【０１５６】
図２３は、本発明の他の実施形態による微弱電流器具を示している。
【０１５７】
本実施形態の微弱電流器具１ｒは、持ち手部２ｒを有し、持ち手部２ｒは形状を限定することなく、例えば半球形のような湾曲面の上面２ｒ’と、平面の下面２ｒ’’を有している。上面２ｒ’には把持突起４８が設けられ、図に示すように、使用時に手４９と係合し、微弱電流器具１ｒの落下を防止することができるようになっている。
【０１５８】
持ち手部２ｒの下面２ｒ’’には支柱５０が立設しており、支柱５０の先端部には、概略球形の電極部３ｒが設けられている。電極部３ｒの表面には、正電極部５ｒと負電極部６ｒとが設けられているが、お互いに絶縁部７ｒによって絶縁されている。なお、図２３では、支柱５０及び電極部３ｒは、複数設けられているが、１つであってもよい。支柱５０及び電極部３ｒ、あるいはそのいずれかが柔軟性を有するようしてもよい。電極部３ｒの表面上の正電極部５ｒと負電極部６ｒは、凹部やパターン形状、または例えば球状の凸部を有しているようにしてもよい。
【０１５９】
正電極部５ｒと負電極部６ｒは、電極部３ｒの内部に設けられた図示しない導電部によって電気的に接続されている。
【０１６０】
また、正電極部５ｒと負電極部６ｒの形状はここでは六角形状をしているが丸や三角形状、四角形状など他の多角形形状でも良い。また、それらの角は丸めてあることが滑らかさを得るのに有効である。また、それらの表面に鏡面仕上げとすることや、凸凹状態とすることで、肌への感触の変化を与えることができる。また、凸凹の形状や大きさを変えたり、これらの表面の違いを組み合わせることでも肌への感触の変化を与えることができる。
【０１６１】
また、図示しないが、電極部３ｎは、支柱５０と、例えばボールベアリングを用いて、軸着され回転させても良い。また、電極部の数は２個でも3個以上でも良い。
【０１６２】
また、支柱は下面２ｎ’’に対しここでは略垂直を示すが斜め方向に立っていても良いものである。
【０１６３】
さらに電極部の外形は楕円形やしずく状などでも良い。
【０１６４】
また、ここでは示してないが図１０の様に電池等の外部電源を用いても良い。
【０１６５】
使用するときは、図に示すように、手４９で持ち手部２ｒを持ち、概略球形の電極部３ｒを皮膚などに押し当てるようにすることで、正電極部５ｒと負電極部６ｒが皮膚などに接触し、正電極部５ｒと負電極部６ｒの電位差によって電池回路が形成され、皮膚などに微弱電流が流れる。
【０１６６】
また、持ち手部２ｒを把持しながら、小さく円運動などをすることにより、電極部３ｒが複数の場合は、ふとももなどの広い部分のマッサージに適している。電極部３ｒが単数の場合は、目元や口元の細かい部分のマッサージや、ツボ押しなに適している。
【０１６７】
図２０は、本発明の他の実施形態による微弱電流器具を示している。
【０１６８】
微弱電流器具１ｐは、持ち手部２ｐと、持ち手部２ｐの長さ方向に延出した電極部３ｐとを有している。
【０１６９】
電極部３ｐは、回転軸５１と、回転軸５１に回転可能に設けられた円筒部５２とを有している。円筒部５２には、回転軸５１と平行な稜状の正電極部５ｐと負電極部６ｐが、円筒部５２の周方向に正負交互に設けられている。正電極部５ｐと負電極部６ｐは図示しない導電部によって電気的に接続されている。
【０１７０】
この微弱電流器具１ｐは、持ち手部２ｐをもって皮膚などに当てることにより、正電極部５ｐと負電極部６ｐが皮膚などに接触し、電池回路が形成され、微弱電流が流れる。
【０１７１】
皮膚などに当てたまま、微弱電流器具１ｐを横方向に動かすようにすると、円筒部５２が転がり、マッサージ効果を有する。
【０１７２】
なお、回転軸５１と平行な稜状部分の、頂面と側面に正電極と負電極を設けて一つの稜状部分で電位差を生じるようにしてもよい。
【０１７３】
また、ここでは示して無いが図１０の様に電池や外部電源を用いても良い。
【０１７４】
また、各電極は弾力のある素材で構成されても良い。弾力のある素材とする事で肌に優しくなる。
【０１７５】
図２１は、本発明の他の実施形態による微弱電流器具を示している。
【０１７６】
微弱電流器具１ｑは、持ち手部２ｑと、持ち手部２ｑの長さ方向に延出したアーム５３と、アーム５３から枝分かれして延出した一対の電極部３ｑを有している。
【０１７７】
電極部の一方は、回転軸５４と、回転軸５４に回転可能に設けられた正電極部５ｑとからなっている。電極部の他方は、回転軸５５と、回転軸５５に回転可能に設けられた負電極部６ｑとからなっている。正電極部５ｑと負電極部６ｑは図示しない導電部によって電気的に接続されている。正電極部５ｑと負電極部６ｑの表面に凹部やパターン形状、または例えば球状の凸部を設けても良い。また、各電極部は弾力のある素材で構成されても良い。弾力のある素材とする事で肌に優しくなる。
【０１７８】
微弱電流器具１ｑは、正電極部５ｑと負電極部６ｑを皮膚などに押し当てると、正電極部５ｑと負電極部６ｑの間の電位差により、電池回路が形成され、皮膚などに微弱電流が流れる。
【０１７９】
持ち手部２ｑを持って微弱電流器具１ｑを矢印Ｌ方向に動かすようにすると、正電極部５ｑと負電極部６ｑが回転し、皮膚などにマッサージ効果をもたらすことができる。
【０１８０】
なお、上記説明では、正電極部５ｑと負電極部６ｑの間の電位差によって皮膚に微弱電流を流れるようにしたが、正電極部５ｑと負電極部６ｑに電圧をかけて、皮膚に微弱電流を流れるようにしてもよい。この場合、正電極部５ｑと負電極部６ｑを電気的に接続するのではなく、電池等の電源を用意し、正電極部５ｑと負電極部６ｑに接続するようにする。
【０１８１】
上記の記載に基づいて、当業者であれば、本発明の追加の効果や種々の変形を想到できるかもしれないが、本発明の態様は、上述した実施形態に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【０１８２】
微弱電流器具：１、１ｄ、１ｆ、１ｇ、１ｈ、１ｉ、１ｊ、１ｍ、１ｎ、１ｐ、１ｑ
持ち手部：２、２ｄ、２ｆ、２ｇ、２ｈ、２ｉ、２ｊ、２ｍ、２ｎ、２ｐ、２ｑ
電極部：３、３ａ、３ｂ、３ｃ、３ｄ、３ｅ、３ｆ、３ｇ、３ｈ、３ｉ、３ｊ、３ｋ、３ｍ、３ｎ、３ｐ、３ｑ、３ｒ
導電部：４、５６、４ｒ
正電極部：５、５ａ、５ｂ、５ｃ、５ｄ、５ｅ、５ｆ、５ｇ、５ｈ、５ｉ、５ｊ、５ｋ、５ｍ、５ｎ、５ｐ、５ｑ、５７、５ｒ
負電極部：６、６ａ、６ｂ、６ｃ、６ｄ、６ｅ、６ｆ、６ｇ、６ｈ、６ｉ、６ｊ、６ｋ、６ｍ、６ｎ、６ｐ、６ｑ、５８、６ｒ
絶縁部：７、７ａ、７ｂ、７ｃ、７ｅ、７ｒ、５９、５９’ 
電池回路：８
電極シート：９
保湿シート：１０
剥離紙：１１、１５
接着剤層：１２、１４
緩衝材：１３
電極板部：１６
開口部：１７
正電極露出部：１８、１８ｅ
負電極露出部：１９、１９ｅ
回転止めネジ：２０
電池：２１
スイッチ：２２
昇圧器：２３
抵抗または電流制限器：２４
導線：２５、２５ｅ、２６、２６ｅ
回転軸：２７、５１、５４、５５
電気接続部：２８、２９、３０
凹み部：３１
絶縁部材：３２
カラー部材：３２ｈ
軸：３３
軸止め：３４
凸部：３５、３６
絶縁体：３７、３７ｊ、３７ｋ、３７ｍ
導電部または電気接続部：３８、４１、４７
導電体：３９、４０
電極スプリング：４２
電極面：４３、４４、４５
コイルスプリング：４６
上面：２ｎ’
下面：２ｎ’’
把持突起：４８
手：４９
支柱：５０
円筒部５２
アーム：５３
生体電池：５５
人体：６０
内部電流：６１
外部電流：６２
【図１】
2019126415.tif 000003
【図２】
2019126415.tif 000004
【図３】
2019126415.tif 000005
【図４】
2019126415.tif 000006
【図５】
2019126415.tif 000007
【図６】
2019126415.tif 000008
【図７】
2019126415.tif 000009
【図８】
2019126415.tif 000010
【図９】
2019126415.tif 000011
【図１０】
2019126415.tif 000012
【図１１】
2019126415.tif 000013
【図１２】
2019126415.tif 000014
【図１３】
2019126415.tif 000015
【図１４】
2019126415.tif 000016
【図１５】
2019126415.tif 000017
【図１６】
2019126415.tif 000018
【図１７】
2019126415.tif 000019
【図１８】
2019126415.tif 000020
【図１９】
2019126415.tif 000021
【図２０】
2019126415.tif 000022
【図２１】
2019126415.tif 000023
【図２２】
2019126415.tif 000024
【図２３】
2019126415.tif 000025
【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
持ち手部と、
前記持ち手部の先端に取り付けられた電極部と、を有し、
前記電極部は、
互いに電位差を有し、かつ離間して位置する正電極部と負電極部と、
前記正電極部と前記負電極部とを電気的に接続する導電部と、
前記正電極部と前記負電極部の間の前記導電部が肌面に対して絶縁するように設けた絶縁部と、を有し、
前記絶縁部は、絶縁素材で構成され、前記正電極部を構成する箔と前記負電極部を構成する箔の対向する縁部の各箔の内側の所定位置まで延在している
ことを特徴とする微弱電流器具。
【請求項２】
持ち手部と、
前記持ち手部の先端に取り付けられた電極部と、を有し、
前記電極部は、
互いに電位差を有し、かつ離間して位置する正電極部と負電極部と、
前記正電極部と前記負電極部とを電気的に接続する導電部と、
前記正電極部と前記負電極部の間の前記導電部が肌面に対して絶縁するように設けた絶縁部と、を有し、
前記電極部は、
電極板部と、
前記導電部と前記正電極部と前記負電極部と前記絶縁部を薄く形成した電極シートとを有し、
前記電極シートを、前記電極板部上に着脱可能に装着したことを特徴とする微弱電流器具。
【請求項３】
請求項２に記載の微弱電流器具であって、
前記電極シートの電極面に保湿シートを有することを特徴とする微弱電流器具。
【請求項４】
請求項２または３に記載の微弱電流器具であって、
前記電極シートの電極面の反対側の面に緩衝材を有することを特徴とする微弱電流器具。
【請求項５】
持ち手部と、
前記持ち手部の先端に取り付けられた電極部と、を有し、
前記電極部は、
互いに電位差を有し、かつ離間して位置する正電極部と負電極部と、
前記正電極部と前記負電極部とを電気的に接続する導電部と、
前記正電極部と前記負電極部の間の前記導電部が肌面に対して絶縁するように設けた絶縁部と、を有し、
前記正電極部を構成する箔と前記負電極部を構成する箔は、細長形状を有し、少なくとも２個が正負交互にほぼ平行に配置され、
前記絶縁部は開口部を有し、前記開口部は、前記正電極部を構成する箔と前記負電極部を構成する箔と直交する方向に正電極露出部と負電極露出部が交互に位置するように配列されていることを特徴とする微弱電流器具。